(57)【要約】【課題】合理的な構造、堅固な接続および安定した構造を備える回転式衣服ハンガーのフープ構造を提供する。【解決手段】回転式衣服ハンガーのフープ構造は、上部支持ポール１２と下部支持ポール１１とに分けられ、上部支持ポール１２と下部支持ポール１１とが軸方向に互いに入れ子式で接続され、その接続箇所に接続孔１１０、１２０が設けられた支持ポール１と、支持ポール１の外側に配置され、結合部材２１がその中に配置された複数の位置決め孔が設けられたフープ２と、上部支持ポール１２および下部支持ポール１１の接続孔１１０、１２０に貫設され、フープ２の結合部材に固定する接続部材３と、を備える。【選択図】図１
0003145433.tif 000002
【実用新案登録請求の範囲】
【請求項１】
上部支持ポールと下部支持ポールとに分けられ、前記上部支持ポールと前記下部支持ポールとが軸方向に互いに入れ子式で接続され、その接続箇所に接続孔が設けられた支持ポールと、
前記支持ポールの外側に配置され、結合部材がその中に配置された複数の位置決め孔が設けられたフープと、
前記上部支持ポールおよび前記下部支持ポールの前記接続孔に貫設され、前記フープの前記結合部材に固定される接続部材と、を備えることを特徴とする、回転式衣服ハンガーのフープ構造。
【請求項２】
前記接続部材はボルトであり、前記結合部材はナットであることを特徴とする、請求項１に記載の回転式衣服ハンガーのフープ構造。
【請求項３】
前記フープは、切欠きを有する環状体であり、前記切欠きに隣接した前記フープ内に横向きのサポートが接続されることを特徴とする、請求項１に記載の回転式衣服ハンガーのフープ構造。
【考案の詳細な説明】
【技術分野】
【０００１】
本考案は、回転式衣服ハンガーに係り、特に上下の支持ポールが接続される箇所に接続部材を径方向に貫通させ、支持ポールの外側にフープを固接させる回転式衣服ハンガーのフープ構造に関する。
【背景技術】
【０００２】
図４および図５は、従来の回転式衣服ハンガーのフープ構造である。図４および図５に示すように、この回転式衣服ハンガーのフープ構造は、上から見て三角形状に配置された３つのコラム直管Ａを有する。これら３つのコラム直管Ａは、それぞれ垂直に中間のフープＢに貫設されて衣服ハンガーの支持骨格として用いられ、フープＢ上には３つの貫通孔Ｂ１が穿設されている。図４および図５に示すように、フープ構造の各コラム直管Ａは、上直管部Ａ１２、下強化直管部Ａ１１、２つのスリーブ管Ａ２１，Ａ２２、２つの接続部材Ａ３１、Ａ３２および中間コラムＡ４からなる。コラムＡ４の外周にはネジ山が形成され、上直管部Ａ１２および下強化直管部Ａ１１の端部の内側にはそれぞれ複数の凸部Ａ１２０および凸部Ａ１１０が設けられている。２つのスリーブ管Ａ２１，Ａ２２の外周には、上述の直管部に対応した凹部が設けられ、スリーブ管Ａ２１，Ａ２２の中心にはネジ山を有する貫通孔が穿設され、２つの接続部材Ａ３１，Ａ３２は、コラムＡ４に対応したネジ孔を有する。コラムＡ４をフープＢの貫通孔Ｂ１に通してから、コラムＡ４の一方の端部を上向きで接続部材Ａ３２、スリーブ管Ａ２２および上直管部Ａ１２に通して順次螺接し、コラムＡ４の他方の端部を下向きで接続部材Ａ３１、スリーブ管Ａ２１および下強化直管部Ａ１１に通して順次螺接する。接続部材Ａ３１，Ａ３２は、フープＢと合致する弧形面Ａ３１０，Ａ３２０を有し、２つの接続部材Ａ３２，Ａ３１でフープＢを上下から挟んで係合し、固着する。コラムＡ４のネジ山は、上部ネジ山と下部ネジ山とに分けられ、一般に接続の利便性を考慮し、上部ネジ山が下部ネジ山よりも長い。
【０００３】
しかし、従来の回転式衣服ハンガーのフープ構造には以下の欠点があった。
（１）各コラム直管には多数の部品が使用されていたため、一定の順序で組み立てる必要があり面倒であった。
（２）フープ構造は、各部品の結合方向が垂直であるため、衣服が不均衡に掛けられた場合、左右に揺れやすくなり、部品が接点で緩み、衣服ハンガー構造が不安定となることがあった。
（３）フープ構造は、各部品を接続する順序と、力を受ける方向とにより影響され、部品の接続箇所が外れやすかった。
【考案の開示】
【考案が解決しようとする課題】
【０００４】
そのため、上述の欠点を解決することのできる回転式衣服ハンガーのフープ構造が求められていた。
【０００５】
本考案の目的は、合理的な構造、堅固な接続および安定した構造を備える回転式衣服ハンガーのフープ構造を提供することにある。
【課題を解決するための手段】
【０００６】
第１の考案は、上部支持ポールと下部支持ポールとに分けられ、前記上部支持ポールと前記下部支持ポールとが軸方向で互いに入れ子式で接続され、その接続箇所に接続孔が設けられた支持ポールと、前記支持ポールの外側に配置され、結合部材がその中に配置された複数の位置決め孔が設けられたフープと、前記上部支持ポールおよび前記下部支持ポールの前記接続孔に貫設され、前記フープの前記結合部材に固定する接続部材と、を備えることを特徴とする回転式衣服ハンガーのフープ構造である。
【０００７】
第２の考案は、上記第１の考案に記載の回転式衣服ハンガーのフープ構造であって、前記接続部材はボルトであり、前記結合部材はナットであることを特徴とする回転式衣服ハンガーのフープ構造である。
【０００８】
第３の考案は、上記第１の考案に記載の回転式衣服ハンガーのフープ構造であって、前記フープは、切欠きを有する環状体であり、前記切欠きに隣接した前記フープ内に横向きのサポートが接続されることを特徴とする回転式衣服ハンガーのフープ構造である。
【考案の効果】
【０００９】
本考案の回転式衣服ハンガーのフープ構造は、上部支持ポールと下部支持ポールとを互いに入れ子式で接続してから、その接続箇所に接続部材（ボルト）を径方向に貫通させ、その外側にあるフープを固接する。このボルトは上下の支持ポールを横向きで固着させるため、部品の結合方向と衣服ハンガーが受ける力の方向とが垂直となり、従来技術において衣服ハンガーの部品が垂直に接続され、力を受ける方向と平行になる欠点を改善することができる。これにより、衣服ハンガーの構造を安定させることができる。
【００１０】
上述したことから分かるように、本考案の回転式衣服ハンガーのフープ構造は、以下の効果を有する。
（１）ボルトおよびナットだけで、支持ポールとフープとを一体化させることができるため、簡便に組み立てを行うことができる。
（２）ボルトが上下の支持ポールの結合部分に横向きに貫設されるため、衣服が不均衡に掛けられたときでも、部品の結合が堅固であるため、衣服ハンガーの構造が安定する。
（３）ボルトが横向きに接続されるため、部品同士が結合される箇所が容易に緩くなったり外れたりすることはない。
【考案を実施するための最良の形態】
【００１１】
以下に、本考案を実施するための最良の形態の実施例について、図面を用いて説明する。
【００１２】
図１および図２を参照する。図１および図２に示すように、本考案の一実施形態による回転式衣服ハンガーのフープ構造は、支持ポール１を有する。支持ポール１は、下部支持ポール１１と、上部支持ポール１２とに分けられ、下部支持ポール１１と上部支持ポール１２とが軸方向に互いに入れ子式で接続され、その結合箇所には接続孔１１０、１２０が設けられている。
【００１３】
フープ２は、切欠きを有する環状管であり、切欠きが設けられた箇所に隣接したフープ２内に横向きのサポート４が接続され、フープ２が外側に向かって開くことを防止する。フープ２は、支持ポール１の外側に配置され、支持ポール１の接続孔１１０、１２０に対応する位置に、結合部材２１が中に配置された３つの位置決め孔が設けられている。この結合部材２１はナットでもよい。
【００１４】
接続部材３は、下部支持ポール１１および上部支持ポール１２の接続孔１１０、１２０に貫通され、フープ２の結合部材２１に固着される。この接続部材３はボルトでもよい。
【００１５】
本実施形態のフープ構造は、上部支持ポール１２が下部支持ポール１１の管内に入れ子式で接続されたり、下部支持ポール１１が上部支持ポール１２の管内に入れ子式で接続されたりしてもよいが、実用的な面を考慮し、下部支持ポール１１は、上部の部品を支持し、衣服を掛けることができるように強度が強化されたタイプであることが好ましい。
【００１６】
図３に示すように、本実施形態のフープ構造は、ベース５と回転頂部フープ６とを一体に結合し、新しいタイプの回転式衣服ハンガーを形成する。この衣服ハンガーの中間のフープ構造は、接続部材３および結合部材２１を利用するだけで、支持ポール１とフープ２とを一体化させることができるため、組み立てを簡便に行うことができる。接続部材３は、下部支持ポール１１と上部支持ポール１２との結合部分に横向きに貫設され、下部支持ポール１１と上部支持ポール１２とを堅固に接合しているため、衣服ハンガーの構造を安定化させることができる。
【００１７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００１８】
【図１】本考案の一実施形態による回転式衣服ハンガーのフープ構造を示す斜視図
【図２】本考案の一実施形態による回転式衣服ハンガーのフープ構造を示す平面図
【図３】本考案の一実施形態による回転式衣服ハンガーのフープ構造を使用するときの状態を示す斜視図
【図４】従来の回転式衣服ハンガーのフープ構造を示す斜視図
【図５】従来の衣服ハンガーの単一のコラム直管を組み立てたときの状態を示す拡大断面図
【符号の説明】
【００１９】
１        支持ポール
１１      下部支持ポール
１２      上部支持ポール
１１０    接続孔
１２０    接続孔
２        フープ
２１      結合部材
３        接続部材
４        サポート
５        ベース
６        回転頂部フープ
Ａ        コラム直管
Ａ１１    下強化直管部
Ａ１２    上直管部
Ａ１２０  凸部
Ａ１１０  凸部
Ａ２１    スリーブ管
Ａ２２    スリーブ管
Ａ３１    接続部材
Ａ３２    接続部材
Ａ３１０  弧形面
Ａ３２０  弧形面
Ａ４      コラム
Ｂ        フープ
Ｂ１      貫通孔
【図１】
0003145433.tif 000003
【図２】
0003145433.tif 000004
【図３】
0003145433.tif 000005
【図４】
0003145433.tif 000006
【図５】
0003145433.tif 000007